(57)【要約】      （修正有）【課題】育成エリアにより商品作物に適した環境を提供すると共に、必要に応じてキャリアにより適切な地点に移動または輸送して設置するか重置することにより、土地の利用効率を高める植物及びキノコ育成装置を提供する。【解決手段】植物及びキノコ育成装置は、コンテナ本体１１を含むキャリアと、キャリアの所定の位置に設置する外気機構と、加湿（水）機構と、照明機構と、制御機構と、を備える。キャリア内には制御エリアＡ及び育成エリアＢを有する。外気機構、加湿（水）機構、及び照明機構はトリガーされると、加湿パイプ３４、光源４１、外気輸送管２２を介して、水分、光線、及びキャリア外部の空気を育成エリアにそれぞれ供給する。制御機構は各機構にそれぞれ電気的に接続し、所定の工程または検知された育成エリア内の湿度値、温度値、及び空気品質値に基づいて各機構をトリガーして作動させる。【選択図】図６
0003227371.tif 000002
【実用新案登録請求の範囲】
【請求項１】
キャリアと、
外気機構と、
加湿機構と、
照明機構と、
制御機構と、を備え、
前記キャリアは、
コンテナ本体と
前記コンテナ本体内に装設すると共に前記コンテナ本体内部に制御エリア及び育成エリアを定義し形成するためのスペーサーと、
前記制御エリア及び前記育成エリアを選択的に連通させるように前記スペーサーに枢設するスペーサーのドアと、
両開き形態で前記コンテナ本体の延伸方向の一端に対称になるようにそれぞれ枢設し、前記育成エリアを前記コンテナ本体外部に連通するように選択的に開閉するための複数のコンテナのドアと、
前記コンテナ本体の延伸方向の一側に枢設し、前記制御エリアを前記コンテナ本体外部に連通するように選択的に開閉するためのサイドドアと、を含み、
外気機構は、
前記コンテナ本体の側壁に設置され、前記制御エリアを前記コンテナ本体外部に連通するためのフィルターユニットと、
前記制御エリアに対応するように前記コンテナ本体に装設し、外部のガスを選択的に供給するために前記フィルターユニット及び前記育成エリアにそれぞれ連通する外気導入装置と、
熱交換ガスを選択的に供給するように前記コンテナ本体外側に設置すると共に前記育成エリアに連通する熱交換器と、を具備し、
前記加湿機構は、
前記制御エリアに対応するように前記コンテナ本体内に装設する水バケツと、
前記制御エリアに対応するように前記コンテナ本体内に装設し、加湿ガスを選択的に供給するために前記水バケツ及び前記育成エリアにそれぞれ連通する加湿器と、
前記育成エリアに対応するように前記コンテナ本体内側の所定の位置に装設する複数の散水ノズルと、
前記制御エリアに対応するように前記コンテナ本体内に装設し、前記水バケツ及び各前記散水ノズルに接続する抽水装置と、を有し、
前記照明機構は、少なくとも１つの第一光源を含み、前記育成エリアに対応するように前記コンテナ本体内に装設し、トリガーされると第一光線を発し、
前記制御機構は、
前記育成エリアに対応するように前記コンテナ本体内側に装設し、前記育成エリアの温度値を取得するための少なくとも１つの温度センサーと、
前記育成エリアに対応するように前記コンテナ本体内に装設し、前記育成エリア内の湿度値を取得するための少なくとも１つの湿度センサーと、
育成エリアに対応するように前記コンテナ本体内に装設し、前記育成エリア内の空気品質値を取得するための少なくとも１つの空気センサーと、
前記温度センサー、前記湿度センサー、前記空気センサー、前記外気導入装置、前記熱交換器、前記抽水装置、及び前記第一光源に電気的に接続し、且つ事前設定または前記湿度値、前記温度値、及び前記空気品質値に基づいて前記抽水装置、前記外気導入装置、前記熱交換器、前記加湿器、及び前記第一光源を選択的に作動させる監視装置と、を備えていることを特徴とする植物及びキノコ育成装置。
【請求項２】
前記外気機構は、前記制御エリア及び前記育成エリアを通過するように前記コンテナ本体内壁に装設し、且つ前記外気導入装置及び前記熱交換器に接続する外気輸送管を備え、前記外気輸送管は前記育成エリアのセクションに、前記外気輸送管の延伸方向に沿って複数の給気孔を設けることを特徴とする請求項１に記載の植物及びキノコ育成装置。
【請求項３】
前記加湿機構は、前記制御エリア及び前記育成エリアを通過して前記コンテナ本体に装設すると共に前記加湿器に接続し、且つ前記育成エリアのセクションに対応する複数の加湿孔を有する少なくとも１つの加湿パイプを更に備えていることを特徴とする請求項１に記載の植物及びキノコ育成装置。
【請求項４】
前記加湿器、前記外気導入装置、及び前記熱交換器は空調チューブに連通し、前記空調チューブは前記制御エリア及び前記育成エリアを通過するように前記コンテナ本体内に装設し、且つ前記育成エリアのセクションの一側に複数の排気口を設けていることを特徴とする請求項１に記載の植物及びキノコ育成装置。
【請求項５】
前記加湿機構は、前記制御エリアに対応するように前記コンテナ本体に装設し、前記水バケツ及び外部の水源にそれぞれ接続する浄水器を更に備えていることを特徴とする請求項１に記載の植物及びキノコ育成装置。
【請求項６】
前記加湿機構は、前記監視装置に電気的に接続すると共に前記水バケツに接続する滅菌装置を更に備えていることを特徴とする請求項１に記載の植物育成装置。
【請求項７】
前記コンテナ本体には通風ドア機構を更に内設し、前記通風ドア機構は、
前記サイドドアに対応するように前記コンテナ本体内に装設し、且つ前記監視装置に電気的に接続する通風ドアと、
前記サイドドアに対応するように前記コンテナ本体に装設し、且つ前記監視装置に電気的に接続することを特徴とするドア開閉センサーと、を備えている請求項１に記載の植物及びキノコ育成装置。
【請求項８】
前記コンテナ本体には、前記スペーサーのドアに対応するように前記制御エリアに設置する消毒タンクを更に内設することを特徴とする請求項１に記載の植物及びキノコ育成装置。
【請求項９】
前記制御機構は、前記コンテナ本体の所定の位置に装設すると共に前記監視装置に電気的に接続する少なくとも１つのカメラを更に備えていることを特徴とする請求項１に記載の植物及びキノコ育成装置。
【請求項１０】
各前記コンテナのドアは少なくとも１つのコンテナの孔を有することを特徴とする請求項１に記載の植物及びキノコ育成装置。
【請求項１１】
前記育成エリア内には自走式エアブロー機構を更に設置し、前記自走式エアブロー機構は、
トラック及び前記トラックを懸吊すると共に前記コンテナ本体に装設する複数の横方向アームを有するトラックラックと、
前記トラックに装設すると共に前記監視装置に電気的に接続する自走式電源と、
一端は前記自走式電源に装設し、他端は前記自走式電源下方に懸架するカンチレバーと、
前記監視装置に電気的に接続し、前記カンチレバーに装設する複数のファンと、を備えていることを特徴とする請求項１に記載の植物及びキノコ育成装置。
【請求項１２】
前記育成エリアには自走式エアブロー機構を更に内設し、前記自走式エアブロー機構は、
前記コンテナ本体底部に設置するトラックと、
前記トラックに装設すると共に前記監視装置に電気的に接続する自走式電源と、
前記自走式電源に立設するカンチレバーと、
前記監視装置に電気的に接続し、前記カンチレバーに装設する複数のファンと、を備えていることを特徴とする請求項１に記載の植物及びキノコ育成装置。
【請求項１３】
前記キャリアは、前記コンテナ本体の内側底部に水平に懸装することで、前記コンテナ本体の底端及び前記床により少なくとも１つの排水路を定義する床を更に備えていることを特徴とする請求項１に記載の植物及びキノコ育成装置。
【請求項１４】
前記床は前記育成エリアの箇所に、前記排水路及び育成エリアを連通するための複数の排水口を有することを特徴とする請求項１３に記載の植物及びキノコ育成装置。
【請求項１５】
前記加湿機構は、一端は前記抽水装置に接続し、他端は前記排水路に連通する排水路給水管を更に備えていることを特徴とする請求項１３に記載の植物及びキノコ育成装置。
【請求項１６】
前記照明機構は、前記制御エリアに対応するように前記コンテナ本体内側の所定の位置に装設し、第二光線を提供する少なくとも１つの第二光源を更に備えていることを特徴とする請求項１に記載の植物及びキノコ育成装置。
【請求項１７】
前記第一光線と前記第二光線のスペクトルは同じであることを特徴とする請求項１６に記載の植物及びキノコ育成装置。
【請求項１８】
前記第一光線と前記第二光線のスペクトルは相異することを特徴とする請求項１６に記載の植物及びキノコ育成装置。
【請求項１９】
前記育成エリアには少なくとも１つの棚を更に内設することを特徴とする請求項１に記載の植物及びキノコ育成装置。
【請求項２０】
前記照明機構は前記棚に対応するように設置する少なくとも１つの第三光線源を更に備えていることを特徴とする請求項１９に記載の植物及びキノコ育成装置。
【考案の詳細な説明】
【技術分野】
【０００１】
本考案は、農業機械関連技術分野に関し、更に詳しくは、植物及びキノコ育成装置に関する。
【背景技術】
【０００２】
農業の商品作物の栽培では、天候や環境等の影響を受けやすく、収穫量が減少したり、作物が汚染されたりすることもあった。この問題を克服するために多くの業者がネットハウス、温室等の様々な密閉型農場を建設し、外部環境と隔絶することで商品作物への影響を回避すること目指している。
【考案の概要】
【考案が解決しようとする課題】
【０００３】
ネットハウスや温室は密閉型農場の期待する効果を達成できるが、下記のような若干の欠点が存在する。
１．農業用地は法の定めにより勝手に建築物を建設することができず、ネットハウス、温室等の建築物の適用範囲が制限されている。
２．ネットハウスや温室は構造強度が低く、極端な気候の強風には耐えられない。
３．ネットハウスや温室の位置は固定であるため、汚染や水害等の災害時に移動させて避難させることができない。
４．ネットハウスや温室を移動する場合、解体して材料状態にして運送せねばならず、この期間商品作物を栽培できない。  
５．ネットハウスや温室では季節の移り変わり及び照明点灯時間等の制限を受け、非季節性の商品作物は生産できず、市場に商品作物が供給過剰になる或いは不足する、等が挙げられる。
【０００４】
そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものである。上記課題解決のため、本考案は、植物及びキノコ育成装置を提供することを主目的とする。すなわち、構造の革新により植物及びキノコ育成装置を提供し、前記装置は貨物コンテナのサイズに適合し、重置及び運送可能であり、先行技術は固定であるという欠点を克服する。
【課題を解決するための手段】
【０００６】
上記課題を解決する本考案は、キャリアと、キャリアの所定の位置に設置する外気機構と、加湿（水）機構と、照明機構と、制御機構と、を備えている。前記キャリア内には制御エリア及び育成エリアを有する。前記外気機構、加湿（水）機構、及び照明機構はトリガーされると水分、光線、及びキャリア外部の空気を育成エリアにそれぞれ供給する。制御機構は外気機構、加湿（水）機構、及び照明機構にそれぞれ電気的に接続し、所定の工程または検知された育成エリア内の湿度値、温度値、及び空気品質値に基づいて外気機構、加湿（水）機構、及び照明機構をトリガーして作動させることを特徴とする植物及びキノコ育成装置である。
【考案の効果】
【０００７】
本考案によれば、育成エリアにより商品作物に適した環境を提供すると共に、必要に応じてキャリアにより適切な地点に移動または輸送して設置するか重置することにより、土地の利用効率を高める。
【図面の簡単な説明】
【０００８】
【図１】本考案に係る植物及びキノコ育成装置の一実施形態を説明する外観傾斜概略図である。
【図２】図１に示す実施形態を他の角度から見た外観傾斜概略図である。
【図３】図１に示す実施形態の一部を示す断面概略図である。
【図４】図２に示す実施形態の一部を示す断面概略図である。
【図５】図４に示す実施形態を他の角度から見た一部を示す概略図である。
【図６】図１に示す実施形態のＩ−Ｉ線に沿う断面概略図である。
【図７】図４に示す実施形態の一部を示す概略図（一）である。
【図８】図４に示す実施形態の一部を示す概略図（二）である。
【図９】図４に示す実施形態のＩＩ−ＩＩ線に沿う断面概略図である。
【図１０】図４に示す実施形態のＩＩＩ−ＩＩＩ線に沿う断面概略図である。
【図１１】本考案の一実施形態を説明する断面概略図である。
【図１２】本考案の制御機構接続を説明するブロック図である。
【図１３】本考案の他の実施形態を説明する概略図（一）である。
【図１４】図１３に示す実施形態の一部を示す概略図である。
【図１５】本考案のさらなる他の実施形態を説明する概略図（二）である。
【図１６】図１３に示す実施形態の一部部材を示す概略図である。
【図１７】本考案の又別の実施形態を説明する概略図である。
【図１８】図１７に示す実施形態の一部部材を示す概略図である。
【考案を実施するための形態】
【０００９】
以下、本開示の実施形態について図面を用いて説明する。なお、本開示は、下記の実施形態に何ら限定されることはなく、本開示の技術的範囲に属する限り種々の形態を採りうる。また、同一の要素には同一の符号を付して説明する。
【００１０】
本明細書及び図面の記載により、少なくとも、以下の事項が明らかとなる。
【００１１】
本考案に係る植物及びキノコ育成装置は、キャリア１０と、外気機構（図示省略）と、加湿（水）機構（図示省略）と、照明機構（図示省略）と、通風ドア機構（図示省略）と、消毒タンク６０と、制御機構（図示省略）と、少なくとも１つの棚８０と、を備えている。
【００１２】
前記キャリア１０は、コンテナ本体１１と、スペーサー１２と、スペーサーのドア１３と、２つのコンテナのドア１４２、１４４と、サイドドア１４６と、床１５と、を備えている（図１乃至図５参照）。
【００１３】
前記コンテナ本体１１は、外輪郭が標準的な貨物コンテナの輪郭に適合し、側辺のコンテナの開口部１１２及びコンテナの開口部１１４を有する。実施においては、コンテナ本体１１は２０フィート、４０フィートの貨物コンテナ、或いは４０フィートの背高コンテナから選択する。
【００１４】
前記側辺のコンテナの開口部１１２は、コンテナ本体１１の内外を連通させるようにコンテナ本体１１の延伸方向の側端に開設する。
【００１５】
前記コンテナの開口部１１４は、コンテナ本体１１の内外を連通させるようにコンテナ本体１１の延伸方向の一端の断面に開設する。
【００１６】
前記スペーサー１２は、コンテナ本体１１の内側に設置すると共にコンテナ本体１１の内部に制御エリアＡ及び育成エリアＢを定義し形成する。前記スペーサー１２は制御エリアＡ及び育成エリアＢを連通させるスペーサーの開口部１２２を有する。前記制御エリアＡは側辺のコンテナの開口部１１２の位置に対応し、前記育成エリアＢはコンテナの開口部１１４の位置に対応する。
【００１７】
前記スペーサーのドア１３は、スペーサーの開口部１２２に対応するようにスペーサー１２に枢設し、スペーサーの開口部１２２の断面を選択的に封鎖する。
【００１８】
前記各コンテナのドア１４２、１４４は両開き形態でコンテナ本体１１に対称になるようにそれぞれ枢設し、且つコンテナの開口部１１４の断面を選択的に封鎖し、少なくとも１つのコンテナの孔１４３を有する。前記コンテナの孔１４３は、コンテナ本体１１（育成エリアＢ）の内外を連通させるようにコンテナのドア１４２、１４４を貫通するように形成する。実施においては、コンテナの孔１４３にはフィルターネットまたはガーゼネット（図示省略）を設ける。
【００１９】
前記サイドドア１４６は、側辺のコンテナの開口部１１２に対応するようにコンテナ本体１１の所定の位置に枢設し、側辺のコンテナの開口部１１２の断面を選択的に封鎖する。
【００２０】
前記床１５は、図４及び図７に示されるように、コンテナ本体１１の内側底部に水平に懸装し、コンテナ本体１１の底端と床１５の下向きの端面とにより少なくとも１つの排水路Ｃを定義する。前記床１５は育成エリアＢの箇所に、排水路Ｃ及び育成エリアＢを連通させるように複数の排水口１５１を貫通するように形成する。
【００２１】
前記外気機構は、フィルターユニット２１と、少なくとも１つの外気輸送管２２と、外気導入装置２３と、熱交換器２４と、を備えている（図２乃至図９参照）。
【００２２】
前記フィルターユニット２１には、コンテナ本体１１の外部と制御エリアＡとを連通させるようにコンテナ本体１１の側壁に設ける。実施においては、フィルターユニット２１はフィルターネットを有する窓口である。
【００２３】
前記外気輸送管２２は、制御エリアＡ及び育成エリアＢを通過するようにコンテナ本体１１内壁に装設する。外気輸送管２２は育成エリアＢのセクションに複数の給気孔２２１を有する（図１０参照）。
【００２４】
前記外気導入装置２３は、コンテナ本体１１外部の空気を選択的に取り込み、フィルターユニット２１を通過させて外気輸送管２２から育成エリアＢ内に輸送するように制御エリアＡに対応するようにコンテナ本体１１に装設し、フィルターユニット２１及び外気輸送管２２にそれぞれ接続する。
【００２５】
熱交換ガスを外気輸送管２２（育成エリアＢ）に提供し、外気導入装置２３が取り込む外部空気を所定の温度に維持するように調節するように、前記熱交換器２４をコンテナ本体１１外側に設けると共に外気輸送管２２と接続する（図示省略）。
【００２６】
前記加湿（水）機構は、図３乃至図１０に示されるように、水バケツ３１と、浄水器３２と、滅菌装置３３と、少なくとも１つの加湿パイプ３４と、加湿器３５と、複数の散水ノズル３６と、抽水装置３７と、排水路給水管３８と、を有する。
【００２７】
前記水バケツ３１は、制御エリアＡに対応するようにコンテナ本体１１に装設する。
【００２８】
前記浄水器３２は、制御エリアＡに対応するようにコンテナ本体１１に装設し、水バケツ３１及び外部の水源（図示省略）にそれぞれ接続し、トリガーされると（例えば、水バケツ３１の貯水量）外部の水源（図示省略）から選択的に汲み取って濾過した後に水バケツ３１に貯水する。実施においては、浄水器３２は逆浸透浄水器である。
【００２９】
前記滅菌装置３３は、水バケツ３１と接続し、トリガーされると水バケツ３１内の水を選択的に滅菌する。実施においては、滅菌装置３３はオゾン発生装置または紫外線発生装置でもよい。
【００３０】
前記加湿パイプ３４は、制御エリアＡ及び育成エリアＢを通過するようにコンテナ本体１１内壁に装設する。加湿パイプ３４は育成エリアＢのセクションに、加湿パイプ３４の延伸方向に沿って複数の加湿孔３４１を設ける。
【００３１】
前記加湿器３５は、制御エリアＡに対応するようにコンテナ本体１１に装設し、水バケツ３１及び加湿パイプ３４にそれぞれ接続し、トリガーされると水バケツ３１内の水を汲み取る。振動により加湿ガスを形成し、加湿パイプ３４に沿って運動させると共に加湿孔３４１から育成エリアＢに進入させ、育成エリアＢ内の湿度を上昇させる。
【００３２】
前記複数の散水ノズル３６（図１０参照）は、育成エリアＢに対応するようにコンテナ本体１１内側の所定の位置に装設する。
【００３３】
前記抽水装置３７（図８及び図９参照）は、制御エリアＡに対応するようにコンテナ本体１１内に装設し、水バケツ３１及び各散水ノズル３６と接続する。トリガーされると水バケツ３１から水を選択的に汲み取り、各散水ノズル３６に出力する。
【００３４】
前記排水路給水管３８（図５参照）は、一端を抽水装置３７に接続し、他端を排水路Ｃに連通させる（図示省略）。また、排水路給水管３８と排水路Ｃとの連通を選択的に開閉するための給水弁３８１を有し、排水路Ｃの洗浄を達成する。
【００３５】
前記照明機構は、少なくとも１つの第一光源４１及び少なくとも１つの第二光源４２を備えている（図２乃至図１０参照）。
【００３６】
前記第一光源４１は、育成エリアＢに対応するようにコンテナ本体１１内側の所定の位置に装設し、トリガーされると第一光線を供給する。実施においては、第一光線は商品作物の成長を促すスペクトルまたは一般的な照明用スペクトルでもよい。
【００３７】
前記第二光源４２は、制御エリアＡに対応するようにコンテナ本体１１内側の所定の位置に装設し、トリガーされると第二光線を供給する。実施においては、第一光線のスペクトルは第二光線とは異なる（同じ）ものを選択してもよい。
【００３８】
前記通風ドア機構は、通風ドア５１及びドア開閉センサー５２を備えている（図１、図３乃至図５及び図９参照）。
【００３９】
前記通風ドア５１は、側辺のコンテナの開口部１１２に対応するようにコンテナ本体１１内側の所定の位置に装設し、トリガーされると側辺のコンテナの開口部１１２に対してコンテナ本体１１外側へ向けて吹き付ける風力を供給する。
【００４０】
前記ドア開閉センサー５２は、側辺のコンテナの開口部１１２に対応するようにコンテナ本体１１に装設し、サイドドア１４６の開閉によりトリガーされる（図１参照）。
【００４１】
前記消毒タンク６０は、図３及び図５に示されるように、スペーサーのドア１３に対応するように制御エリアＡの床１５５（或いはコンテナ本体１１内側の底部）に設置する。実施においては、消毒タンク６０は消毒液を貯蔵するための水盤または水槽でもよい。
【００４２】
前記制御機構は、少なくとも１つのカメラ７１と、少なくとも１つの温度センサー７２と、少なくとも１つの湿度センサー７３と、少なくとも１つの空気センサー７４と、監視装置７５と、を備えている（図１、図４乃至図１０及び図１２参照）。
【００４３】
前記カメラ７１は、コンテナ本体１１内側及び外側の所定の位置にそれぞれ装設する。
【００４４】
育成エリアＢに対応するようにコンテナ本体１１内側の所定の位置に装設し、育成エリアＢの温度値を取得するために用いる前記温度センサー７２（図１０参照）を少なくとも有する。実施においては、制御エリアＡ及びコンテナ本体１１外側にも選択的に設置可能である。
【００４５】
育成エリアＢに対応するようにコンテナ本体１１内側の所定の位置に装設し、育成エリアＢ内の湿度値を取得するために用いる前記湿度センサー７３（図１０参照）を少なくとも有する。実施においては、制御エリアＡ及びコンテナ本体１１外側にも選択的に設置可能である。
【００４６】
育成エリアＢに対応するようにコンテナ本体１１内側の所定の位置に装設し、育成エリアＢ内の空気品質値を取得するために用いる前記空気センサー７４（図１０参照）を少なくとも有する。例えば二酸化炭素濃度、懸濁粒子濃度を含むが、これらに限定されない。実施においては、制御エリアＡ及びコンテナ本体１１外側にも選択的に設置可能である。
【００４７】
前記監視装置７５（図８及び図１２参照）は、カメラ７１、温度センサー７２、湿度センサー７３、空気センサー７４、外気導入装置２３、熱交換器２４、滅菌装置３３、加湿器３５、抽水装置３７、第一光源４１、第二光源４２、通風ドア５１、及びドア開閉センサー５２に電気的に接続する。
【００４８】
前記監視装置７５はネットワークコネクター７５１及び制御パネル７５２を更に備えている。前記ネットワークコネクター７５１は有線または無線ネットワークに接続し、所定のデータを伝送するために用いる。ネットワークコネクター７５１により使用者は遠端から育成エリアＢ内の空気品質値、温度値、湿度値、照明点灯時間等を設定し監視することが可能となる。実施においては、有線ネットワークはイーサネット（Ｅｔｈｅｒｎｅｔ）、インターネット（Ｉｎｔｅｒｎｅｔ）、ケーブルテレビネットワークＣＡＴＶ、公衆交換電話網ＰＳＴＮ（Ｐｕｂｌｉｃ  Ｓｗｉｔｃｈｅｄ  Ｔｅｌｅｐｈｏｎｅ  Ｎｅｔｗｏｒｋ）等である。無線ネットワークは携帯電話網（４Ｇ、５Ｇ）、Ｗｉ−Ｆｉネットワーク等である。
【００４９】
前記制御パネル７５２は、使用者が操作及び関連情報を表示するために用いる。
【００５０】
前記棚８０（図１１参照）は、商品作物（図示省略）を設置し、成長させるための空間を提供するように、育成エリアＢに対応するようにコンテナ本体１１内に装設すると共に床１５５（またはコンテナ本体１１内側の底部）に重置する。実施においては、棚８０は選択的に省略してもよい。
【００５１】
以上は本考案の好ましい一実施形態に係る植物及びキノコ育成装置の各部材及び装設方式の説明であり、続いて本考案の実施形態の作動の特徴について説明する。
【００５２】
図３乃至図１２に示されるように、商品作物は棚８０に合わせて選択的に育成エリアＢ内に植えられ、且つ商品作物の生長曲線及び特性に基づいて、監視装置７５により育成エリアＢ内の空気品質値、温度値、湿度値、照明点灯時間等を設定する。育成エリアＢの環境を商品作物にとって最良の成長環境とし、または市場での需要に応じて商品作物の生長周期を調節する。下記に例を示す。
１．監視装置７５は湿度センサー７３により取得した湿度値に基づいて、加湿（水）機構の抽水装置３７を選択的に作動し、水バケツ３１から水を汲み取って加湿パイプ３４により育成エリアＢに出力し、これにより育成エリアＢ内の湿度を調節する。
２．監視装置７５は温度センサー７２及び（或いは）空気センサー７４により取得した温度値及び空気品質値に基づいて、外気機構の外気導入装置２３及び熱交換器２４を選択的に作動し、コンテナ本体１１外部から外部の空気を取り込んでフィルターユニット２１及び外気輸送管２２を通して育成エリアＢ内に輸送し、育成エリアＢ内の空気品質及び温度を維持する。この過程では、外気輸送管２２内の外気が育成エリアＢに進入した後に圧力差を形成し、育成エリアＢ内の空気をコンテナのドア１４２、１４４からコンテナの孔１４３を通してコンテナ本体１１外に排出し、育成エリアＢ内とコンテナ本体１１外との圧力バランスを維持し、新鮮な空気と交換し、温度、湿度、空気品質等を調節する。
３．監視装置７５はドア開閉センサー５２のトリガーにより、通風ドア５１を作動し、側辺のコンテナの開口部１１２に対してコンテナ本体１１外側に向けて吹き付ける風力を提供する。
【００５３】
また、商品作物の成長過程では、監視装置７５により商品作物の生長状況を観察し、育成エリアＢ内の環境や照明点灯時間を選択的に調節し、商品作物の生長及び収穫期を掌握する。
【００５４】
図１２乃至図１５に示されるように、外気輸送管２２及び加湿パイプ３４は空調チューブＡＬに統合する。前記空調チューブＡＬは制御エリアＡ及び育成エリアＢを通過するようにコンテナ本体１１内壁に装設し、加湿器３５、外気導入装置２３、及び熱交換器２４に接続する。実施においては、空調チューブＡＬの一側には、空調チューブＡＬの内外を連通させるように複数の排気口ＡＬ１を設ける。
【００５５】
図１３、１５乃至図１４に示されるように、育成エリアＢには、トラックラック２５と、自走式電源２６と、カンチレバー２７と、複数のファン２８と、を備える自走式エアブロー機構を更に設置する。
【００５６】
前記トラックラック２５は、トラック２５１及びトラック２５１を懸吊すると共にコンテナ本体１１内に装設する複数の横方向アーム２５２を有する。
【００５７】
前記自走式電源２６は監視装置７５に電気的に接続し、トラックラック２５のトラック２５１に装設し、トリガーされるとトラック２５１に沿って往復運動を行う。
【００５８】
上カンチレバー２７の一端は自走式電源２６に装設し、他端は自走式電源２６下方に懸架する。
【００５９】
前記各ファン２８は監視装置７５に電気的に接続し、カンチレバー２７の所定の位置に装設する。トリガーされると商品作物に対して吹き付ける刺激を与える。
【００６０】
前記照明機構は、図１５及び図１４に示されるように、商品作物に対応するように各棚８０またはカンチレバー２７の所定の位置に装設し、且つ監視装置７５に電気的に接続し、トリガーされると商品作物の生長を促す第三光線を供給する少なくとも１つの第三光源４３を更に備えている。
【００６１】
図１７及び図１８は自走式エアブロー機構の他の実施形態を図示し、トラック２５１'と、自走式電源２６'と、カンチレバー２７と、複数のファン２８と、を備えている。
【００６２】
前記トラック２５１'は、育成エリアＢの床１５（またはコンテナ本体１１内側の底部）の所定の位置に設置する。
【００６３】
前記自走式電源２６'は監視装置７５に電気的に接続するようにトラック２５１に装設し、トリガーされるとトラック２５１'に沿って往復運動を行う。
【００６４】
上カンチレバー２７は自走式電源２６'上方に立設する。
【００６５】
前記各ファン２８は監視装置７５に電気的に接続するようにカンチレバー２７の所定の位置に装設する。
【００６６】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００６７】
１０  キャリア
１１  コンテナ本体
１１２  側辺のコンテナの開口部
１１４  コンテナの開口部
１２  スペーサー
１２２  スペーサーの開口部
１３  スペーサーのドア
１４２  コンテナのドア
１４４  コンテナのドア
１４３  コンテナの孔
１４６  サイドドア
１５  床
１５１  排水口
２１  フィルターユニット
２２  外気輸送管
２２１  給気孔
２３  外気導入装置
２４  熱交換器
２５  トラックラック
２５１  トラック
２５１'  トラック
２５２  横方向アーム
２６  自走式電源
２６'  自走式電源
２７  カンチレバー
２８  ファン
３１  水バケツ
３２  浄水器
３３  滅菌装置
３４  加湿パイプ
３４１  加湿孔
３５  加湿器
３６  散水ノズル
３７  抽水装置
３８  排水路給水管
３８１  給水弁
４１  第一光源
４２  第二光源
４３  第三光源
５１  通風ドア
５２  ドア開閉センサー
４０  消毒タンク
７１  カメラ
７２  温度センサー
７３  湿度センサー
７４  空気センサー
７５  監視装置
７５１  ネットワークコネクター
７５２  制御パネル
８０  棚
Ａ  制御エリア
Ｂ  育成エリア
Ｃ  排水路
ＡＬ  空調チューブ
ＡＬ１  排気口
【図１】
0003227371.tif 000003
【図２】
0003227371.tif 000004
【図３】
0003227371.tif 000005
【図４】
0003227371.tif 000006
【図５】
0003227371.tif 000007
【図６】
0003227371.tif 000008
【図７】
0003227371.tif 000009
【図８】
0003227371.tif 000010
【図９】
0003227371.tif 000011
【図１０】
0003227371.tif 000012
【図１１】
0003227371.tif 000013
【図１２】
0003227371.tif 000014
【図１３】
0003227371.tif 000015
【図１４】
0003227371.tif 000016
【図１５】
0003227371.tif 000017
【図１６】
0003227371.tif 000018
【図１７】
0003227371.tif 000019
【図１８】
0003227371.tif 000020